【手続補正書】
【提出日】平成28年1月28日(2016.1.28)
【手続補正１】
【補正対象書類名】明細書
【補正対象項目名】０１４９
【補正方法】変更
【補正の内容】
【０１４９】
本発明の範囲及び趣旨から逸脱することなく本発明に予測可能な改変及び変更を行い得ることは当業者には明らかであろう。本発明は、説明を目的として本出願に記載される実施形態に限定されるべきものではない。参照により本明細書に援用したいずれかの文書内での仕様と開示との間の不一致及び矛盾が存在するという点に関して、本仕様書が統制する。本発明の実施態様の一部を以下の項目［１］−［１５］に記載する。
[１]
クロラミン含有液体を処理するための容器を備える液体濾過装置であって、前記容器が活性クロラミン除去材を含み、該活性クロラミン除去材が、炭素と、窒素と、硫黄と、を含み、前記活性クロラミン除去材中の前記硫黄及び窒素の合計が、少なくとも４．０質量％である、液体濾過装置。
[２]
クロラミン含有液体を処理するための容器を備える液体濾過装置であって、前記容器が活性クロラミン除去材を含み、該活性クロラミン除去材が、炭素系担体と、硫黄含有化合物を含む化合物と、の反応生成物であり、前記活性クロラミン除去材が、炭素と、窒素と、硫黄と、を含み、前記活性クロラミン除去材中の前記硫黄及び窒素の合計が少なくとも４．０質量％である、液体濾過装置。
[３]
流体入口を流体出口に流体連結する液体用流体導管と、該流体導管内に配置された濾材と、を備える液体濾過装置であって、前記濾材が活性クロラミン除去材を含み、該活性クロラミン除去材が、炭素と、窒素と、硫黄と、を含み、前記活性クロラミン除去材中の前記硫黄及び窒素の合計が少なくとも４．０質量％である、流体濾過装置。
[４]
流体入口を流体出口に流体連結する液体用流体導管と、該流体導管内に配置された濾材と、を備える液体濾過装置であって、前記濾材が担体を含み、該担体が活性クロラミン除去材であり、該活性クロラミン除去材が、（ｉ）炭素系担体の表面と、（ｉｉ）式［Ｃ］＋ｙｘ［Ａ］−ｘｙであって、式中、［Ｃ］はカチオン、［Ａ］はアニオン、ｘ及びｙは独立して少なくとも１である式を有する塩と、の熱反応生成物を含む炭素系担体であり、更に、前記塩が、少なくとも１個の硫黄原子と、少なくとも１個の窒素原子と、を含む、液体濾過装置。
[５]
前記活性クロラミン除去材が、炭素と、窒素と、硫黄と、を含み、前記活性クロラミン除去材中の前記硫黄及び窒素の合計が少なくとも４．０質量％である、項目４に記載の液体濾過装置。
[６]
前記活性クロラミン除去材の少なくとも０．２質量％が、ＸＰＳ表面分析に基づいて０よりも高い酸化状態の硫黄を含む、項目１〜５のいずれか一項に記載の液体濾過装置。
[７]
前記活性クロラミン除去材が、（ｉ）炭素系担体の表面と、（ｉｉ）窒素含有化学種及び硫黄含有化学種と、の熱反応生成物を含む、項目１〜６のいずれか一項に記載の液体濾過装置。
[８]
前記窒素含有化学種及び前記硫黄含有化学種が、式［Ｃ］＋ｙｘ［Ａ］−ｘｙであって、式中、［Ｃ］はカチオンであり、［Ａ］はアニオンであり、ｘ及びｙは独立して少なくとも１である式を有する塩であり、更に、前記塩が、少なくとも１個の硫黄原子と、少なくとも１個の窒素原子と、を含む、項目７に記載の液体濾過装置。
[９]
前記活性クロラミン除去材が２．０質量％超の硫黄を含む、項目１〜８のいずれか一項に記載の液体濾過装置。
[１０]
前記活性クロラミン除去材が、ＥＢＣＴ  ４．８秒において２００ガロン（約７５７リットル）超の容量を有する、項目１〜９のいずれか一項に記載の液体濾過装置。
[１１]
クロラミンを含む水溶液を準備することと、前記水溶液を活性クロラミン除去材に接触させることと、を含む、水溶液からクロラミンを除去する方法であって、前記活性クロラミン除去材が、炭素と、窒素と、硫黄と、を含み、前記活性クロラミン除去材中の前記硫黄及び窒素の合計が、少なくとも４．０質量％である、方法。
[１２]
前記活性クロラミン除去材が、（ｉ）炭素質固体の表面と、（ｉｉ）窒素含有化学種及び硫黄含有化学種と、の熱反応生成物を含む、項目１１に記載の方法。
[１３]
クロラミンを含む水溶液を準備することと、前記水溶液を活性クロラミン材に接触させることと、を含む、水溶液からクロラミンを除去する方法であって、前記活性クロラミン材が、炭素系担体であり、（ｉ）該炭素系担体の表面と、（ｉｉ）式［Ｃ］＋ｙｘ［Ａ］−ｘｙであって、式中、［Ｃ］はカチオン、［Ａ］はアニオン、ｘ及びｙは独立して少なくとも１である式を有する塩と、の反応生成物を含み、更に、前記塩が、少なくとも１個の硫黄原子と、少なくとも１個の窒素原子と、を含む、方法。
[１４]
前記活性クロラミン除去材が、炭素と、窒素と、硫黄と、を含み、前記活性クロラミン除去材中の前記硫黄及び窒素の合計が少なくとも４．０質量％である、項目１３に記載の方法。
[１５]
前記クロラミンの除去中、前記活性クロラミン除去材の総質量に基づいて、少なくとも０．２質量％の前記硫黄が０よりも高い酸化状態である、項目１１〜１３のいずれか一項に記載の方法。
【手続補正２】
【補正対象書類名】特許請求の範囲
【補正対象項目名】全文
【補正方法】変更
【補正の内容】
【特許請求の範囲】
【請求項１】
クロラミン含有液体を処理するための容器を備える液体濾過装置であって、前記容器が活性クロラミン除去材を含み、該活性クロラミン除去材が、炭素と、窒素と、１．２質量％超の硫黄と、を含み、前記活性クロラミン除去材中の前記硫黄及び窒素の合計が、少なくとも４．０質量％である、液体濾過装置。
【請求項２】
クロラミン含有液体を処理するための容器を備える液体濾過装置であって、前記容器が活性クロラミン除去材を含み、該活性クロラミン除去材が、炭素系担体と、硫黄含有化合物を含む化合物と、の反応生成物であり、前記活性クロラミン除去材が、炭素と、窒素と、１．２質量％超の硫黄と、を含み、前記活性クロラミン除去材中の前記硫黄及び窒素の合計が少なくとも４．０質量％である、液体濾過装置。
【請求項３】
流体入口を流体出口に流体連結する液体用流体導管と、該流体導管内に配置された濾材と、を備える液体濾過装置であって、前記濾材が活性クロラミン除去材を含み、該活性クロラミン除去材が、炭素と、窒素と、１．２質量％超の硫黄と、を含み、前記活性クロラミン除去材中の前記硫黄及び窒素の合計が少なくとも４．０質量％である、流体濾過装置。
【請求項４】
流体入口を流体出口に流体連結する液体用流体導管と、該流体導管内に配置された濾材と、を備える液体濾過装置であって、前記濾材が担体を含み、該担体が活性クロラミン除去材であり、該活性クロラミン除去材が、（ｉ）炭素系担体の表面と、（ｉｉ）式［Ｃ］＋ｙｘ［Ａ］−ｘｙであって、式中、［Ｃ］はカチオン、［Ａ］はアニオン、ｘ及びｙは独立して少なくとも１である式を有する塩と、の熱反応生成物を含む炭素系担体であり、更に、前記塩が、少なくとも１個の硫黄原子と、少なくとも１個の窒素原子と、を含む、液体濾過装置。
【請求項５】
クロラミンを含む水溶液を準備することと、前記水溶液を活性クロラミン除去材に接触させることと、を含む、水溶液からクロラミンを除去する方法であって、前記活性クロラミン除去材が、炭素と、窒素と、１．２質量％超の硫黄と、を含み、前記活性クロラミン除去材中の前記硫黄及び窒素の合計が、少なくとも４．０質量％である、方法。
【請求項６】
クロラミンを含む水溶液を準備することと、前記水溶液を活性クロラミン材に接触させることと、を含む、水溶液からクロラミンを除去する方法であって、前記活性クロラミン材が、炭素系担体であり、（ｉ）該炭素系担体の表面と、（ｉｉ）式［Ｃ］＋ｙｘ［Ａ］−ｘｙであって、式中、［Ｃ］はカチオン、［Ａ］はアニオン、ｘ及びｙは独立して少なくとも１である式を有する塩と、の反応生成物を含み、更に、前記塩が、少なくとも１個の硫黄原子と、少なくとも１個の窒素原子と、を含む、方法。